(57)【要約】【課題】狭額縁化の要求に応えることができる液晶表示装置を提供することを目的とする。【解決手段】液晶表示装置は、相互に間隔をあけて配置された一対の樹脂フレーム２８と、一対の樹脂フレーム２８の間に配置された導光板２０と、液晶表示パネル１０とは反対側で導光板２０に重ねられて樹脂フレーム２８よりも薄い反射シート４２と、液晶表示パネル１０、一対の樹脂フレーム２８、導光板２０、光源１８及び反射シート４２を収容する金属フレーム３４と、を有し、導光板２０は、一対の樹脂フレーム２８とそれぞれ対向する一対の端面３０と、光源１８と対向する第１端面２２と、第１端面２２とは反対側を向く第２端面２４と、を有し、反射シート４２は、導光板２０の液晶表示パネル１０とは反対側の面と金属フレーム３４との間から、折り曲げられて、導光板２０の第２端面２４と金属フレーム３４との間に延びる。【選択図】図４
2012156003.tif 000002
【特許請求の範囲】
【請求項１】
液晶表示パネルと、
前記液晶表示パネルを支持して相互に間隔をあけて配置された一対の樹脂フレームと、
前記一対の樹脂フレームの間に配置されて前記液晶表示パネルに重ねられた導光板と、
前記導光板に光を入射させる光源と、
前記液晶表示パネルとは反対側で前記導光板に重ねられた、前記樹脂フレームよりも薄い反射シートと、
前記液晶表示パネル、前記一対の樹脂フレーム、前記導光板、前記光源及び前記反射シートを収容する金属フレームと、
を有し、
前記導光板は、前記一対の樹脂フレームとそれぞれ対向する一対の端面と、前記光源と対向する第１端面と、前記第１端面とは反対側を向く第２端面と、を有し、
前記反射シートは、前記導光板の前記液晶表示パネルとは反対側の面と前記金属フレームとの間から、折り曲げられて、前記導光板の前記第２端面と前記金属フレームとの間に延びるように配置されていることを特徴とする液晶表示装置。
【請求項２】
請求項１に記載された液晶表示装置において、
前記一対の樹脂フレームは、前記液晶表示パネルの前記導光板側の面に貼り付けられていることを特徴とする液晶表示装置。
【請求項３】
請求項１又は２に記載された液晶表示装置において、
前記一対の樹脂フレームは、前記金属フレームよりも表面の光反射率が高いことを特徴とする液晶表示装置。
【請求項４】
請求項１から３のいずれか１項に記載された液晶表示装置において、
前記一対の樹脂フレームは、前記金属フレームに嵌め込まれて保持されることを特徴とする液晶表示装置。
【発明の詳細な説明】
【技術分野】
【０００１】
本発明は、液晶表示装置に関する。
【背景技術】
【０００２】
液晶表示パネルと金属フレームの間に樹脂フレームを配置した構造の液晶表示装置が知られている。金属フレームは、液晶表示パネルの保護を図り、樹脂フレームは、液晶表示パネルと金属フレームが直接接触することを防止する緩衝部材の役目を果たしている（特許文献１）。
【先行技術文献】
【特許文献】
【０００３】
【特許文献１】特開２００９−３１７５３号公報
【発明の概要】
【発明が解決しようとする課題】
【０００４】
近年、表示領域の周囲を狭くしたいという狭額縁化の要求が強く、その要求に対応するために樹脂フレームを薄くすることが考えられる。しかし、樹脂フレームは、モールド成形されることが多く、樹脂の流動性確保の点から薄くするには限界があった。
【０００５】
本発明は、狭額縁化の要求に応えることができる液晶表示装置を提供することを目的とする。
【課題を解決するための手段】
【０００６】
（１）本発明に係る液晶表示装置は、液晶表示パネルと、前記液晶表示パネルを支持して相互に間隔をあけて配置された一対の樹脂フレームと、前記一対の樹脂フレームの間に配置されて前記液晶表示パネルに重ねられた導光板と、前記導光板に光を入射させる光源と、前記液晶表示パネルとは反対側で前記導光板に重ねられた、前記樹脂フレームよりも薄い反射シートと、前記液晶表示パネル、前記一対の樹脂フレーム、前記導光板、前記光源及び前記反射シートを収容する金属フレームと、を有し、前記導光板は、前記一対の樹脂フレームとそれぞれ対向する一対の端面と、前記光源と対向する第１端面と、前記第１端面とは反対側を向く第２端面と、を有し、前記反射シートは、前記導光板の前記液晶表示パネルとは反対側の面と前記金属フレームとの間から、折り曲げられて、前記導光板の前記第２端面と前記金属フレームとの間に延びるように配置されていることを特徴とする。本発明によれば、反射シートが緩衝部材の機能を果たしており、反射シートが樹脂フレームよりも薄いので、狭額縁化の要求に応えることができる。
【０００７】
（２）（１）に記載された液晶表示装置において、前記一対の樹脂フレームは、前記液晶表示パネルの前記導光板側の面に貼り付けられていることを特徴としてもよい。
【０００８】
（３）（１）又は（２）に記載された液晶表示装置において、前記一対の樹脂フレームは、前記金属フレームよりも表面の光反射率が高いことを特徴としてもよい。
【０００９】
（４）（１）から（３）のいずれか１項に記載された液晶表示装置において、前記一対の樹脂フレームは、前記金属フレームに嵌め込まれて保持されることを特徴としてもよい。
【図面の簡単な説明】
【００１０】
【図１】本発明の実施形態に係る液晶表示装置を示す斜視図である。
【図２】図１に示す液晶表示装置のII−II線断面の拡大図である。
【図３】本発明の実施形態に係る液晶表示装置の液晶表示パネルよりも下の構造を示す平面図である。
【図４】図３に示す構造のIV−IV線断面の拡大図である。
【発明を実施するための形態】
【００１１】
以下、本発明の実施形態について図面を参照して説明する。図１は、本発明の実施形態に係る液晶表示装置を示す斜視図である。図２は、図１に示す液晶表示装置のII−II線断面の拡大図である。
【００１２】
図１に示す液晶表示装置１００は、図２に示すように、液晶表示パネル１０を有する。液晶表示パネル１０は、一対の基板１２，１４（いずれもガラス基板）を有し、両者間には図示しない液晶が介在する。一方の基板１２は、薄膜トランジスタ、画素電極及び配線などを含むＴＦＴ（Thin Film Transistor）基板（又はアレイ基板）であり、他方の基板１４はカラーフィルタ基板である。液晶表示パネル１０の駆動方式は、ＩＰＳ（In Plane Switching）方式、ＴＮ（Twisted Nematic）方式又はＶＡ（Vertical Alignment）方式などいずれの方式であってもよく、方式に応じた電極及び配線が形成される。液晶表示パネル１０の両面には、それぞれ、偏光板１６が貼り付けられている。
【００１３】
図３は、本発明の実施形態に係る液晶表示装置の液晶表示パネル１０よりも下の構造を示す平面図である。図４は、図３に示す構造のIV−IV線断面の拡大図である。
【００１４】
液晶表示装置は、バックライトを構成するための光源１８（例えば発光ダイオード）及び導光板２０を有する。導光板２０は液晶表示パネル１０に重ねられている。導光板２０は、点光源である光源１８の光を面光源に変換して液晶表示パネル１０に照射する。導光板２０は、光源１８と対向する第１端面２２と、第１端面２２とは反対側を向く第２端面２４を有する。第１端面２２から光源１８の光が導光板２０に入射する。液晶表示パネル１０と導光板２０の間には光学シート群２６が配置されている。光学シート群２６は、拡散シート及びプリズムシートなどを含む。
【００１５】
液晶表示装置は、液晶表示パネル１０を支持する樹脂フレーム２８を有する。樹脂フレーム２８は、樹脂のモールド成形によって形成されたものである。図３に示すように、一対の樹脂フレーム２８が、相互に間隔をあけて配置されている。一対の樹脂フレーム２８の間に導光板２０が配置されている。導光板２０は、一対の樹脂フレーム２８とそれぞれ対向する一対の端面３０を有する。しかし、導光板２０の第１端面２２及び第２端面２４は、樹脂フレーム２８とは対向しない。樹脂フレーム２８は、液晶表示パネル１０の導光板２０側の面に貼り付けられている。貼り付けには遮光性の両面テープ３２が使用される。
【００１６】
液晶表示装置は、液晶表示パネル１０、一対の樹脂フレーム２８、導光板２０及び光源１８を収容する金属フレーム３４を有する。樹脂フレーム２８は、金属フレーム３４よりも表面の光反射率が高い。樹脂フレーム２８は、金属フレーム３４に嵌め込まれて保持されている。図２に示すように、金属フレーム３４は、底面部３６と底面部３６の周囲から立ち上がる壁部３８を有し、壁部３８の一部が切り欠かれて底面部３６の方向に曲げられて突出する突片４０を有する。そして、底面部３６と突片４０の間に樹脂フレーム２８が挟まれている。
【００１７】
図２に示すように、収容する部品の下に配置された金属フレーム３４の外側に、上金属フレーム３５が嵌められている。上金属フレーム３５は、液晶表示パネル１０の表示面を内側に配置する開口３５ａを有している。
【００１８】
導光板２０の下（光学シート群２６とは反対側）には、樹脂フレーム２８よりも薄い反射シート４２が配置されている。つまり、反射シート４２は、液晶表示パネル１０とは反対側で導光板２０に重ねられている。反射シート４２で、導光板２０から液晶表示パネル１０とは反対方向に出射した光を導光板２０に戻すようになっている。反射シート４２は薄膜フィルムである。反射シート４２も金属フレーム３４に収容されている。反射シート４２は、導光板２０の液晶表示パネル１０とは反対側の面と金属フレーム３４との間に位置する部分を有し、その部分から折り曲げられて立ち上がり、導光板２０の第２端面２４と金属フレーム３４との間に延びる。すなわち、光源１８とは反対側では、導光板２０と金属フレーム３４の間に反射シート４２の一部が介在している。また、光源１８とは反対側では、導光板２０と金属フレーム３４の間には樹脂フレーム２８は介在しない。
【００１９】
本実施形態によれば、光源１８とは反対側では、反射シート４２が緩衝部材の機能を果たしており、反射シート４２が樹脂フレーム２８よりも薄いので、狭額縁化の要求に応えることができる。
【００２０】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００２１】
１０  液晶表示パネル、１２  基板、１４  基板、１６  偏光板、１８  光源、２０  導光板、２２  第１端面、２４  第２端面、２６  光学シート群、２８  樹脂フレーム、３０  端面、３２  両面テープ、３４  金属フレーム、３５  上金属フレーム、３５ａ  開口、３６  底面部、３８  壁部、４０  突片、４２  反射シート。
【図１】
2012156003.tif 000003
【図２】
2012156003.tif 000004
【図３】
2012156003.tif 000005
【図４】
2012156003.tif 000006